【手続補正書】
【提出日】平成15年9月25日(2003.9.25)
【手続補正１】
【補正対象書類名】明細書
【補正対象項目名】全文
【補正方法】変更
【補正の内容】
【発明の名称】室内機のドレン排出構造
【特許請求の範囲】
【請求項１】熱交換後の空気を室内機の上下左右の４方向に放出すると共に、部屋の壁に裏面が取り付けられるターボファン型の室内機のドレン排出構造であって、
吸入口がドレンパンに接続されたドレンポンプと、
上記ドレンポンプの排出口に一端が接続されて垂直方向に延在するドレン配管を内蔵したことを特徴とする室内機のドレン排出構造。
【請求項２】請求項１に記載の室内機のドレン排出構造において、
上記ドレン配管の上端は、上記室内機のケーシングの後壁を貫通して裏側に突出していることを特徴とする室内機のドレン排出構造。
【請求項３】熱交換後の空気を室内機の上下左右の４方向に放出すると共に、部屋の壁に裏面が取り付けられるターボファン型の室内機のドレン排出構造であって、
一端がドレンパンに接続されて垂直方向に延在するドレン配管を内蔵したことを特徴とする室内機のドレン排出構造。
【発明の詳細な説明】
【０００１】
【発明の属する技術分野】
この発明は、空気調和機における室内機のドレン排出構造の改良に関する。
【０００２】
【従来の技術】
空気調和機の室内機として、図３に示すように、中央にターボファン(図示せず)を配置して、熱交換器２を介した冷媒との熱交換後の空気を矢印Ａ,Ｂ,Ｃ,Ｄで示すように四方に吹き出す所謂ターボファン型室内機１がある。このターボファン型室内機１でも、熱交換器２のフィンの表面等に結露したドレンを受けるドレンパン３は下側に取り付けられており、ドレンパン３内に溜まったドレンはドレンホース４を介して自重によって下方に排出されるようになっている。
【０００３】
ところで、アパートやマンション等の建築に際して、空気調和機の室内機を設置することを考慮して、図４に示すように、部屋の室外に面した壁７には室内機からのドレンを室外機(図示せず)へ導くためのドレン配管を冷媒管や電気配線等を通すための補助配管と一緒に通す配管貫通穴８が予め設けられる。
【０００４】
その場合、クロスフローファンを水平方向に配置した通常の室内機５は垂直方向の幅が狭く横に長い形状を有している。また、最近の室内機５は薄型に成ってきているとは言え、未だ邪魔物が壁に付いているという感じをユーザに与える。それらの理由から、通常は、室内機５は壁７の天井６近くに設置されることになる。そのために、配管貫通穴８は、通常型の室内機の形状に併せて天井６から下方に約４０cm〜５０cmの位置に穿たれるのが一般的である。
【０００５】
【発明が解決しようとする課題】
しかしながら、上記従来のターボファン型の室内機１では、以下のような問題がある。
すなわち、上記ターボファン型室内機１は、上述のごとく熱交換後の空気を上下左右に四方に向かって吹き出すという構造上、その正面から見た形状は大略正方形を有している。また、上方にも空気を吹き出すので、図４に示すように、上方へ向かう吹出口が設けられた上面１０と天井６とには空気が滑らかに室内を循環できるようなスペースを設ける必要がある。したがって、ターボファン型室内機１は、通常型の室内機５よりは下方に設置される。そのために、図３に示すごとく下側に設けられているドレンパン３から下方に延びるドレンホース４の先端部の位置は、当然ながら予め壁７に穿たれている配管貫通穴８の位置よりも下方に位置することになり、そのままでは既存の配管貫通穴８を利用することは不可能となる。
【０００６】
そこで、上記ターボファン型室内機１を通常のアパートやマンションの壁に設置する場合には、ドレンホース４の位置の壁７に新たに配管貫通穴９を穿つ必要が生ずる。したがって、既存の配管貫通穴８の埋め戻しや新設の配管貫通穴９の施工等による設置工事の長引きや工事費の増大という問題が発生する。また、隣接する家に既に入居している場合には、配管貫通穴９の新設工事の騒音の発生が問題となる。
【０００７】
そこで、この発明の目的は、既存の配管貫通穴を利用できるターボファン型の室内機のドレン排出構造を提供することにある。
【０００８】
【課題を解決するための手段】
上記目的を達成するため、請求項１に係る発明は、熱交換後の空気を室内機の上下左右の４方向に放出すると共に、部屋の壁に裏面が取り付けられるターボファン型の室内機のドレン排出構造であって、吸入口がドレンパンに接続されたドレンポンプと、上記ドレンポンプの排出口に一端が接続されて垂直方向に延在するドレン配管を内蔵したことを特徴としている。
【０００９】
上記構成によれば、ドレンパン内のドレンは、ドレンポンプが駆動されるとドレン配管を介して上方に導かれる。したがって、上記ドレン配管の上端を室内機の上部から室内機の外に突出するようにすれば、上記ドレン配管の上端をマンション等の既存の配管貫通穴に挿通して上記室内機を設置しても、上記室内機の上部には熱交換後の空気を上方に放出可能な空間が得られる。
【００１０】
また、請求項２に係る発明は、請求項１に係る発明の室内機のドレン排出構造において、上記ドレン配管の上端は、上記室内機のケーシングの後壁を貫通して裏側に突出していることを特徴としている。
【００１１】
上記構成によれば、上記ドレン配管は室内機の中に内蔵されて室内に露出してはおらず、外観上の見栄えがよい。
【００１２】
また、請求項３に係る発明は、熱交換後の空気を室内機の上下左右の４方向に放出すると共に、部屋の壁に裏面が取り付けられるターボファン型の室内機のドレン排出構造であって、一端がドレンパンに接続されて垂直方向に延在するドレン配管を内蔵したことを特徴としている。
【００１３】
上記構成によれば、室内機にドレンポンプを設けない分だけ、室内機の軽量小型化および騒音の低下が図られる。尚、ドレンパン内のドレンの上方への汲み上げは、別途上記室内機の外に設けられたドレンポンプによって行われる。
【００１４】
【発明の実施の形態】
以下、この発明を図示の実施の形態により詳細に説明する。
図１は、本実施の形態の室内機のドレン排出構造が適用されたターボファン型室内機(以下、単に室内機と言う)の内部構造を示す概略図である。
上記室内機１１の本体中央部には、ターボファン(図示せず)の位置に併せて熱交換器１２が設置されている。そして、この熱交換器１２を介した冷媒との熱交換後の空気は、矢印ａ,ｂ,ｃ,ｄで示すように四方に放出される。また、熱交換器１２の下方にはドレンパン１３が設置してある。
【００１５】
上記ドレンパン１３内の一端側には、ドレンパン１３内のドレンを強制的に排出するためのドレンポンプ１５が設置されている。そして、このドレンポンプ１５の排出口には、室内機１１内における熱交換器１２の側方の空間をケーシングの後壁の内側に沿って垂直方向に配設されたドレン配管１４の下端が取り付けられる一方、上端は後方に折り曲げられて、上記ケーシングの後壁に設けられた穴(図示せず)から後方に突出している。その場合に、冷媒管や電気配線用の補助配管も、ドレン配管１４と一緒に上記ケーシングの後壁に設けられた穴から後方に出す。
【００１６】
上記ドレンポンプ１５と垂直方向に延在するドレン配管１４とによるドレン排出構造によれば、ドレンパン１３内のドレンを室内機１１の上部から排出することができる。したがって、図４に示すような従来のターボファン型室内機１とケーシングの形状が同じ室内機１１を、室内機１１のケーシングの後壁から後方に突出しているドレン配管１４の上端部を上記補助配管と共に、既存の配管貫通穴８に挿通して部屋の外に出して設置した際に、室内機１１の上部に、矢印ｂのごとく熱交換後の空気を放出できる空間を確保できるのである。
その際に、上記ドレン配管１４の上端部は、室内機１１のケーシンングの裏面から外方向に突出しているので、ドレン配管１４は室内に露出することがなく、外観上の見栄えがよい。
【００１７】
すなわち、本実施の形態によれば、既存の配管貫通穴を利用できるターボファン型の室内機のドレン排出構造を提供できるのである。
【００１８】
ここで、上記実施の形態においては、ドレンポンプ１５を室内機１１内に設置しているが、この発明はこれに限定されるものではなく、ドレンパンは室内機１１の外に在ってもよい。
図２は、この場合のドレン排出構造の概略を示す。
ターボファン型の室内機２１のドレンパン２２の側壁下部にはケーシンングの後壁の内側に沿って垂直方向に配設されたドレン配管２３の下端が取り付けられる。また、ドレン配管２３の上端は後方に折り曲げられて上記ケーシンングの後壁を貫通して後方に出ており、部屋の壁に予め設けられている既存の配管貫通穴を通って室外に突出している。
【００１９】
一方、室外機２４のケーシングにおける側壁外面にドレンポンプ２５を取り付ける。そして、このドレンポンプ２５の吸入口には連絡管２６の一端を接続し、この連絡管２６の他端には上記部屋の壁の配管貫通穴から外を覗いているドレン配管２３の上端を接続している。また、ドレンポンプ２５の排出口には垂直方向に下向きに排出管２７を取り付ける。
【００２０】
上記構成の室内機のドレン排出構造においては、ドレンを室内機２１の上部から排出でき、既存の配管貫通穴を利用して室内機２１を設置した際に、室内機２１の上部に熱交換後の空気を放出できる空間を確保できる。また、ドレン配管２３の上端部は室内機２１のケーシンングの裏面から直接室外に突出しているので室内に露出しておらず、外観上の見栄えがよい。
【００２１】
さらに、上記室外機２４に取り付けたドレンポンプ２５によって、室内機２１のドレンパン２２内のドレンをドレン配管２３によって上方に汲み上げて室内機２１の上部から連絡管２６を介して排出できる。したがって、室内機２１にはドレンポンプを設ける必要がなく、その分だけ室内機２１の軽量小型化および騒音の低下を図ることができる。
【００２２】
上記各実施の形態においては、図１あるいは図２に示すように、ドレン配管１４,２３をドレンパン１３,２２の右側に配設しているが、左側に配設しても一向に構わない。
【００２３】
【発明の効果】
以上より明らかなように、請求項１に係る発明の室内機のドレン排出構造は、ターボファン型の室内機に内蔵されて吸入口がドレンパンに接続されたドレンポンプの排出口に、垂直方向に延在するドレン配管の一端を接続したので、上記ドレン配管の上端を室内機の上部から室内機の外に出せば、上記ドレン配管の上端をマンション等の壁に設けられた既存の配管貫通穴に挿通して上記室内機を設置しても、上記室内機の上部には熱交換後の空気を上方に放出可能にする空間を得ることができる。
すなわち、この発明によれば、既存の配管貫通穴を利用してターボファン型の室内機を設置できる。
【００２４】
また、請求項２に係る発明の室内機のドレン排出構造は、上記ドレン配管の上端を、上記室内機のケーシングの後壁を貫通して裏側に突出させているので、上記室内機を部屋の壁に取り付けた際に上記ドレン配管は室内に露出することがなく、外観上の見栄えがよい。
【００２５】
また、請求項３に係る発明の室内機のドレン排出構造は、ターボファン型の室内機に、一端がドレンパンに接続されて垂直方向に延在するドレン配管を内蔵したので、上記室内機の上部からドレンを排出することができ、上記ドレン配管の上端をマンション等の壁に設けられた既存の配管貫通穴に挿通して上記室内機を設置しても、上記室内機の上部には熱交換後の空気を上方に放出可能にする空間を得ることができる。
さらに、外部のドレンポンプによって室内機のドレンを排出することができ、室内機にドレンポンプを設ける必要がない。したがって、この発明によれば、ドレンポンプを設けない分だけ室内機の軽量小型化および騒音の低下を図ることができる。
【図面の簡単な説明】
【図１】この発明の室内機のドレン排出構造が適用されたターボファン型の室内機の内部構造を示す概略図である。
【図２】図１とは異なるドレン排出構造を示す図である。
【図３】従来のターボファン型の室内機の内部構造を示す概略図である。
【図４】通常型の室内機およびターボファン型の室内機のドレン排出箇所の位置と部屋の壁に設けられた既存の配管貫通穴との位置関係を示す図である。
【符号の説明】
１１,２１…室内機、               １３,２２…ドレンパン、
１４,２３…ドレン配管、           １５,２５…ドレンポンプ、
２４…室外機、                    ２６…連絡管。